(57)【特許請求の範囲】
【請求項１】
玉流路に設置されるストッパー装置であって、
開口内を閉塞および開放するために上下動するシャッター板と、
前記シャッター板の前記上下動の駆動源であるモーターと、
前記モーターの回転駆動を前記上下動の駆動に変換して前記シャッター板に伝達する手段と、
前記モーターの駆動により前記シャッター板と連動して移動するとともに、前記シャッター板が動かなくなった場合であっても、前記モーターの駆動により上下方向に移動可能に構成されたプレートと、
前記シャッター板が前記開口内を閉塞しているときの前記プレートの位置であるプレート閉塞位置に前記プレートが位置しているか否かを検出するリミットスイッチと、
前記プレート閉塞位置に前記プレートが位置していると前記リミットスイッチが検出すると、前記モーターの駆動を停止する手段とを備える
ことを特徴とするストッパー装置。
【請求項２】
前記ストッパー装置に近接して前記玉流路に設けられ、該玉流路に玉が流れているか否かを検出する確認センサと、
前記シャッター板が閉塞しているにも拘わらず前記玉流路を玉が流れている、という異常状態を、前記確認センサによる検出結果と前記ストッパー装置の駆動状態とから検出すると、該異常状態を報知する報知手段と
を備えたことを特徴とする請求項１に記載のストッパー装置。
【発明の詳細な説明】
【０００１】
【発明の属する技術分野】
本発明は、玉流路の閉塞・開放を行なうストッパー装置に関する。
【０００２】
【従来の技術】
従来よりパチンコホールにおいては、複数のパチンコ機を列設させたパチンコ島（以下、単に島ともいう）をフロア上に複数並列させている。このパチンコ島のように、パチンコ機を複数備えると、島における玉の所要量が時々刻々変動する。即ち、１つの島で複数のパチンコ機が同時期に大当たりになると、大量の玉が必要になり、逆に、一向に大当たりにならなかったり遊技者が少なかったりすると、所要量は減る。
【０００３】
そこで、パチンコ島同士を樋等にて繋ぎ、これにて玉を交流することにより、玉量が余っている島から不足している島へと玉を供給している。特開平１０−７１２６０号公報に開示された本願出願人による玉交流装置はその一例である。この玉交流装置では、島の上部に交流タンクを備え、その交流タンク（第１タンクという）の上部に形成された送給口から、隣の島の交流タンク（第２タンクという）の下部に形成された受給口へと樋にて玉を供給している。また第２タンクの上部にも送給口が形成されており、第１タンクの下部に形成された受給口へと樋にて玉を供給している。なお、これらの樋は、途中までは直線状、それ以降はアーチ状にされている。
【０００４】
第１、第２の両タンクの送給口にはストッパー装置が設けられており、これのシャッター板が開閉されることにより隣の交流タンクへの玉供給の許可・禁止が可能にされている。そしてこの供給が行なわれていることを確認するためにアーチ状にされた樋の流下端（受給口の直前）にセンサが設けられている。
【０００５】
【発明が解決しようとする課題】
しかしながら、上記従来技術によれば、シャッター板が開いているにも拘わらず玉が供給されない場合、シャッター板が開いてから玉が流れて来ないことが検出されるまで、タイムラグがあるという欠点があった。
【０００６】
そしてこのストッパー装置に限らないが、シャッター板の大きさは、ストッパー装置が適用される樋の大きさに応じて決まる。樋の大きさは、予想される玉流量によって決まるので、１つの島の中であっても、玉流量の違いに応じて様々なストッパー装置を用意する必要に迫られることがある。
【０００７】
本発明はかかる課題に鑑みなされたもので、請求項２に記載のストッパー装置は、シャッター板が閉じているに拘わらず玉が供給されるといった異常状態を速やかに検出することを目的としている。
請求項１に記載のストッパー装置は、モーターに掛かる過負荷を防止することを目的としている。
【０００８】
【０００９】
【００１０】
【課題を解決するための手段】
かかる課題を解決するためになされた請求項１に記載の本発明は、玉流路に設置されるストッパー装置であって、
開口内を閉塞および開放するために上下動するシャッター板と、
前記シャッター板の前記上下動の駆動源であるモーターと、
前記モーターの回転駆動を前記上下動の駆動に変換して前記シャッター板に伝達する手段と、
前記モーターの駆動により前記シャッター板と連動して移動するとともに、前記シャッター板が動かなくなった場合であっても、前記モーターの駆動により上下方向に移動可能に構成されたプレートと、
前記シャッター板が前記開口内を閉塞しているときの前記プレートの位置であるプレート閉塞位置に前記プレートが位置しているか否かを検出するリミットスイッチと、
前記プレート閉塞位置に前記プレートが位置していると前記リミットスイッチが検出すると、前記モーターの駆動を停止する手段とを備える
ことを特徴とする。
請求項２に記載の本発明は、前記ストッパー装置に近接して前記玉流路に設けられ、該玉流路に玉が流れているか否かを検出する確認センサと、
前記シャッター板が閉塞しているにも拘わらず前記玉流路を玉が流れている、という異常状態を、前記確認センサによる検出結果と前記ストッパー装置の駆動状態とから検出すると、該異常状態を報知する報知手段と
を備えたことを特徴とする。
【００１１】
【００１２】
【００１３】
【００１４】
【００１５】
【発明の実施の形態】
請求項１に記載のストッパー装置は、シャッター板が動かなくなった場合であっても、プレートが上下方向に移動し、シャッター板が開口内を閉塞しているときのプレートの位置であるプレート閉塞位置にプレートが位置しているとリミットスイッチが検出すると、モーターの駆動を停止する。
このようなストッパー装置によれば、シャッター板に異物が挟み込んでシャッター板が動かなくなった場合、モーターに掛かる過負荷を防止することができる。
請求項２に記載のストッパー装置は、ストッパー装置に近接して、玉流路に玉が流れているか否かを検出する確認センサを設けている。
【００１６】
そして更に、シャッター板が閉塞しているにも拘わらず玉が玉流路を流れている、という異常状態を、確認センサによる検出結果とストッパー装置の駆動状態とから検出すると、異常状態を報知する報知手段を備えている。
【００１７】
このようなストッパー装置によれば、確認センサがストッパー装置に近接して設けられているので、シャッター板が閉まっているにも拘わらず玉が玉流路を流れている、といった異常状態を速やかに検出することができる。
【００１８】
【００１９】
【００２０】
【００２１】
【００２２】
【００２３】
【実施例】
以下に本発明の実施例を図面と共に説明する。まず図１（ａ）は、島Ａ、島Ｂ間にて玉の交流を行なう玉交流装置の概略を示す説明図である。島Ａ、島Ｂにはそれぞれその上部に交流タンク３ａ、３ｂが設けられている。交流タンク３ａの上部に形成された送給口５ａから交流タンク３ｂの上部に形成された送給口５ｂに略Ｖ字形の上部交流樋７ａ、７ｂが架け渡されている。一方、交流タンク３ａの下部に形成された受給口９ａから交流タンク３ｂの下部に形成された受給口９ｂにはアーチ形のアーチ樋１１ａ、１１ｂが架け渡されている。なお、上部交流樋７ａ、７ｂは２本の直線状の樋からなるが、アーチ樋１１ａ、１１ｂはアーチ形をした一体の樋である。なお符号ＭＢは、島Ａ、島Ｂ間での玉の交流を制御するメイン基板である。
【００２４】
交流タンク３ａ、３ｂの中央部とアーチ樋１１ａ、１１ｂの中央部とは、内部にて連通している。この様子を図１（ｂ）に示す。本図は両樋の中央部を各樋に沿って断面にした図である。上部交流樋７ａ、７ｂには、夫々の先端に下向きの交流下部開口１３ａ、１３ｂが形成されている。一方、アーチ樋１１ａ、１１ｂは、その円弧頂上部分に交流上部開口１５が形成されている。そして、この交流上部開口１５と交流下部開口１３ａ、１３ｂとが対面連通することにより玉が上部交流樋７ａからアーチ樋１１ｂへ、および上部交流樋７ｂからアーチ樋１１ａへ流れるようにされている。また、交流上部開口１５と交流下部開口１３ａ、１３ｂとの接続を確実に行うため、これらの外周を包み込んで固定する接続器１８が固着されている。このようなアーチ樋１１ａ、１１ｂを用いる効果については前述の公報に記載の通りなのでここでは省略する。
【００２５】
次に、送給口５ａに設けられているシャッター装置１７について図２を用いて説明する。なお、島Ｂに設けられているシャッター装置１７も同様に構成されている。図２はシャッター装置１７を、図１（ａ）と同方向から見た図である。シャッター装置１７は、交流タンク３ａに当該シャッター装置１７を取り付けるためのベース板９と、送給口５ａから流下する玉を上部交流樋７ａに誘導するための誘導口２１と、本図において上下方向に動かされることにより誘導口２１内を閉塞・開放するシャッター板２３と、シャッター板２３を上下動させるボックス２５と、これら上下動の駆動源であるモーターＭと、誘導口２１内においてシャッター板２３の下流位置に玉が存在するか否か（つまり、送給口５ａから玉が流下しているか否か）を検出する確認センサ２７を備えている。確認センサ２７は、誘導口２１の底面に開けられた穴によりビス止めされる。
【００２６】
なお、符号２９はモーターＭの駆動や、後述する処理を行なう電子部品（図示せず）が搭載された回路基板であり、符号３１、３３はそれぞれシャッター装置１７の状態をパチンコホールの管理者などに報知するための緑色のＬＥＤ、赤色のＬＥＤであり、符号３５は確認センサ２７の検出結果を電気信号として送信するためのコネクタであり、通常は回路基板２９のコネクタに接続されている。また回路基板２９は、ブラケット３７に対しシャフト３９を介して固定されている。なおブラケット３７は、板金をコ字型に折り曲げ加工した部材である。また本図はシャッター板２３が下限まで下げられ、送給口５ａから玉が上部交流樋７ａに流れ込むのを許可した状態となっている。
【００２７】
ブラケット３７のローラ３０にボックス２５の側壁２５ａの長孔２８を支持することで、ボックス２５はブラケット３７に対して上下方向に摺動可能にされている。なお、シャッター装置１７の閉塞時に、シャッター板２３にかかる上部タンク（後述）内からの玉圧はローラ３０と側壁２５ａで受けることになる。
【００２８】
誘導口２１の下方には樋支持部材３８が設けられており、誘導口２１と樋支持部材３８の間に上部交流樋７ａが挿入支持される。シャッター装置１７から誘導口２１を取り除いたものが本発明のストッパー装置に相当する。
図３に図２のＰ−Ｐ矢視図を示す。但し本図ではブラケット３７を透視するとともに、シャフト３９など一部の部品を省略している。ピニオン４１はモーターＭの駆動軸に直結されており、これが回転駆動されることによりラック４３が本図において上下方向に移動される。ラック４３は第１プレート４５を介してボックス２５に固定されており、これによりモーターＭの軸の回転がボックス２５の上下動に変換される。第１プレート４５にはボックス４７が設けられており、これが第１プレート４５（ひいてはボックス２５）と共に上下されることによりリミットスイッチ４９、５０、５１、５２をＯＮ／ＯＦＦさせる。リミットスイッチ４９〜５２は、第２プレート５５を介してブラケット３７に取り付けられており、リミットスイッチ４９、５２がモーターＭの制御用、リミットスイッチ５０、５１がＬＥＤ３１、３３の点灯用であり、リミットスイッチ４９，５２よりも内側に設けられる。またシャッター板２３はボックス２５に対して位置Ｑ、Ｒにてボルトとナットで着脱可能に固定されている。
【００２９】
シャッター装置１７は、ベース板９に着脱自在に取り付けられており、詳しくは、ベース板９の４ヵ所に設けられる支持部材４０にシャッター装置１７のブラケット３７の開口４２を嵌合し、ベース板９に設けられるストッパー片５４を支軸５６を中心に回動させることで着脱自在に固定する。なおストッパー片５４は停止片５８により不必要な回動が規制される。
【００３０】
ラック４３は第１プレート４５に取り付けられ、折り曲げ形成された第１プレート４５は、第１プレート４５の長孔４８を介して摺動自在にボックス２５に取り付けられる。さらに、第１プレート４５とボックス２５はバネ４６によっても接続される。シャッター装置１７が閉塞する際に、シャッター板２３に異物が挟み込んでシャッター板２３およびボックス２５が動かなくなった場合、ピニオン４１の回転によりラック４３および第１プレート４５のみが、ボックス２５に対し長孔４８を介して摺動し上下に動く。第１プレート４５のボックス４７がリミットスイッチ４９に達するとピニオン４１の回転が止まる。これにより、モーターＭに掛かる過負荷を防止する。なおこの時、バネ４６は伸びており、異物の挟みこみが解除されると、この張力によりシャッター板２３およびボックス２５を引き上げる。
【００３１】
ボックス４７は、第１プレート４５にビスなどで着脱自在に設けられており、ボックス４７の上下方向の長さを変えて用いることにより、シャッター装置１７のストロークを変更することができる。つまり、長くするほどストロークが短くなり、短くするほどストロークが長くなる。
【００３２】
なお樋支持部材３８の棒片３８ａは回転自在であり、上部交流樋７ａを挿入する際に回転することで挿入を容易に行なうことができる。ベース板９の４ヵ所に支柱５３が設けられており、図示しないカバーが支柱５３を介して取り付けられる。なお、ＬＥＤ３１、３３は、このカバーに取り付けられる
図４に、回路基板２９にて実行されるシャッター板２３の開閉処理の概要を示す。まず図４（ａ）はシャッター板２３を開く際に実行されるシャッター開制御のフローチャートである。本処理は後述するメインプログラム等から呼び出されることにより起動する。本処理が起動するとまずステップ（以下、Ｓと記す）１００にてリミットスイッチ５２（本図ではスイッチ５２と記載。以下同様）がＯＮされているか否かを判定する。リミットスイッチ５２がＯＮになるのは、ボックス４７が下がりきった時である。下がりきっていない場合にはＳ１１０に進み、モーターＭを、シャッター板２３が下がる方向に駆動し、Ｓ１２０にて緑色のＬＥＤ３１を点灯させ、赤色のＬＥＤ３３を点滅させる。そしてＳ１００に戻り、シャッター板２３が下がりきるまでモーターＭを駆動する。尚、リミットスイッチ５２がＯＮの時  リミットスイッチ５１もＯＮであり、このリミットスイッチ５１の信号と確認センサ２７の信号に基づき、各ＬＥＤ３１、３３を駆動する。
【００３３】
シャッター板２３が下がりきったら（Ｓ１００：ＹＥＳ）、Ｓ１３０にてモーターＭを停止する。そしてＳ１４０にて確認センサ２７がＯＮつまり玉が誘導口２１内にあるか判定する。ＹＥＳつまり玉がある場合はＳ１５０に進んで緑色のＬＥＤ３１を点灯し、赤色のＬＥＤ３３を消灯して本処理を終了する。一方、確認センサ２７がＯＦＦつまり玉がない場合はＳ１６０に進み、緑色のＬＥＤ３１を点灯し、赤色のＬＥＤ３３を点滅して本処理を終了する。Ｓ１６０の処理は、「シャッター板２３が開いているにも拘わらず、玉が流れて来ない」という異常事態をパチンコホールの管理者などに報知するためのものである。
【００３４】
そして図４（ｂ）はシャッター板２３を閉じる際に実行されるシャッター開制御のフローチャートである。本処理も後述するメインプログラム等から呼び出されることにより起動する。本処理が起動するとまずＳ２００にてリミットスイッチ４９がＯＮされているか否かを判定する。リミットスイッチ４９がＯＮになるのは、ボックス４７が上がりきった時である。上がりきっていない場合にはＳ２１０に進み、モーターＭをシャッター板２３が上がる方向に駆動し、Ｓ２２０にて緑色のＬＥＤ３１を点灯させ、赤色のＬＥＤ３３を点滅させる。そしてＳ２００に戻り、シャッター板２３が上がりきるまでモーターＭを駆動する。尚、リミットスイッチ４９がＯＮのとき、リミットスイッチ５０もＯＮでありこのリミットスイッチ５０の信号と確認センサ２７の信号に基づき、各ＬＥＤ３１、３３を駆動する。
【００３５】
シャッター板２３が上がりきったら（Ｓ２００：ＹＥＳ）、Ｓ２３０にてモーターＭを停止する。そしてＳ２４０にて確認センサ２７がＯＦＦつまり玉が誘導口２１内にないか判定する。ＹＥＳつまり玉がない場合はＳ２５０に進んで緑色のＬＥＤ３１を点灯し、赤色のＬＥＤ３３を消灯して本処理を終了する。一方、確認センサ２７がＯＮつまり玉がある場合はＳ２６０に進み、緑色のＬＥＤ３１を点灯し、赤色のＬＥＤ３３を点滅して本処理を終了する。Ｓ２６０の処理は、「シャッター板２３が閉じているにも拘わらず、玉が流れている」という異常事態をパチンコホールの管理者などに報知するためのものである。Ｓ２６０およびＳ１６０の処理が本発明の報知手段に相当する。
【００３６】
確認センサ２７がシャッター板２３に近接して設けられているシャッター装置１７においてこれらの処理を行なうことにより、シャッター板２３が開いているにも拘わらず玉が供給されない、或はシャッター板２３が閉まっているにも拘わらず玉が上部交流樋７ａを流れている、といった異常状態を速やかに検出することができる。
【００３７】
これらを呼び出すメインプログラムを説明する前に、島Ａの構造を図５に示す。なお島Ｂも略同様に構成されている。図５は島Ａを、パチンコ機の列設方向にそって断面にした図である。島Ａは、図示しないパチンコ機にて使用された玉を幾つかの樋を介して貯留タンク６１に回収する。貯留タンク６１に貯えられた玉は揚送装置６３にて上部タンク６５まで揚送し、そこから補給樋６７を介してパチンコ機に供給する。この供給が過剰ぎみになり、上部タンク６５にある程度玉が溜まると交流タンク３ａにも玉が供給されるようになる。そして交流タンク３ａに貯えられた玉が図１で説明したように島Ｂに供給される。このように上部タンク６５から交流タンク３ａに玉を供給してもなお上部タンク６５が玉で過剰の状態にあるときには、溢れ出た玉をオーバーフローボックス６９に流すように構成されている。
【００３８】
上部タンク６５と交流タンク３ａを図６の斜視図に示す。なお本図はシャッター装置１７を取り外した図となっている。揚送装置６３により揚送された玉は開口７１から上部タンク６５内に流しこまれる。上部タンク６５の下部に達した玉は樋７３を介して流出口７５に接続された補給樋６７（図５参照）に達する。なお本図には示されていないが、上部タンク６５に関し樋７３と反対側にも補給樋６７が接続されている。上部タンク６５内にある程度玉が溜まった際の交流タンク３ａへの玉供給は、樋７７を介して行なわれる。こうして交流タンク３ａに達した玉は送給口５ａから島Ｂへと流出する。なお、本図にて明らかなように送給口５ａは受給口９ａの真上に配置されている。そしてこの交流タンク３ａの上半分が本発明の供給タンク、下半分が本発明の受給タンクに相当する。
【００３９】
交流タンク３ａ内も過剰となった場合には、上部タンク６５内の空間Ｃの玉が分岐垂直板７９を越えて空間Ｄに入り、オーバーフロー誘導樋８１からオーバーフローボックス６９（図５参照）に流れ込む。オーバーフローボックス６９には、玉の有無を検出するオーバーフローセンサ８２が取り付けられており、これにより島Ａ全体が玉の過剰状態にあるか否かを判定することができる。また貯留タンク６１には、貯留された玉の量を検出するための玉量センサ８３が設けられている。
【００４０】
図７にメインプログラムを示す。本処理は、本発明のシャッター制御手段に相当するもので、メイン基板ＭＢに搭載されたコンピュータにより実行され、タイマ割り込みにより一定間隔で起動される。本処理が起動されるとまずＳ３００にて島Ａと島Ｂの貯留タンク６１内に貯留されている玉の量の比較を行なう。玉の量は玉量センサ８３により知ることができる。島Ａの方が多いときには、Ｓ３１０に進み、島Ｂがオーバーフロー状態か否かを判定する。これは、島Ｂのオーバーフローボックス６９に設けられたオーバーフローセンサ８２による検出結果から判定される。島Ｂがオーバーフロー状態でなければＳ３２０に進み、前述のシャッター開制御を島Ａのシャッター装置１７に行なわせ、終了する。
【００４１】
一方、島Ｂがオーバーフロー状態であればＳ３３０に進み、オーバーフローをパチンコホールの管理者に報知し、Ｓ３４０にて前述のシャッター閉制御を行なわせ、終了する。以上の処理は、島Ａの方が島Ｂよりも玉が多い場合において、島Ｂに玉を供給すべきか否かを判定するための処理である。即ち、島Ｂがオーバーフロー状態にあれば、Ｓ３３０にてその旨を報知して、Ｓ３４０にて島Ｂに玉を供給しないようにする。島Ｂがオーバーフロー状態でなければ、Ｓ３２０にてシャッター板を開けて島Ａから島Ｂに玉を供給する。
【００４２】
島Ｂの方が島Ａよりも多いときにはこれと逆の処理を行なう。即ちまずＳ３５０にて島Ａがオーバーフロー状態か否かを判定する。オーバーフロー状態でなければＳ３６０に進み、前述のシャッター開制御を島Ｂのシャッター装置１７に行なわせ、終了する。一方、島Ａがオーバーフロー状態であればＳ３７０に進み、オーバーフローをパチンコホールの管理者に報知し、Ｓ３８０にて前述のシャッター閉制御を島Ｂのシャッター装置１７に行なわせ、終了する。これは、島Ｂの方が島Ａよりも玉が多い場合に、島Ａに玉を供給すべきか否かを判定するための処理である。即ち、島Ａがオーバーフロー状態であれば、Ｓ３７０にてその旨を報知して、Ｓ３８０にて島Ｂに玉を供給しないようにする。島Ａがオーバーフロー状態でなければ、Ｓ３６０にてシャッター板２３を開けて島Ｂから島Ａに玉を供給する。尚、オーバーフローセンサ８２がオーバーフロー状態を検出すると島に設けられた還元機を停止すると共に、島に設けられた表示灯を点灯させ異常を報知する。
【００４３】
Ｓ３００で、島Ａと島Ｂの各貯留タンク６１内の玉の量がほぼ同じと判定されたときは、Ｓ３９０に進み、島Ａ、島Ｂのシャッター板２３を共に閉じて本処理を終了する。このような処理によれば、島Ａ、島Ｂが保有する玉の量の均一化が図られる。そして上部交流樋７ａ、７ｂとアーチ樋１１ａ、１１ｂが交叉しているにも拘わらず、玉の交流は、一方から他方へ行なわれる（ただし貯留タンク６１内の玉量の関係が変わった場合には逆方向になる）ので、その交叉箇所にて玉詰まりが発生することがない。また、送給口５ａが受給口９ａの真上に配置されている結果、上部交流樋７ａとアーチ樋１１ｂ、上部交流樋７ｂとアーチ樋１１ａが上方から見てほぼ一直線となるので、スムーズに玉が供給される。
【００４４】
なお、玉量センサ８３は、玉量センサ異常検出基板８５を介してセンサコンバータ基板８７に接続されており、センサコンバータ基板８７からの電圧供給により駆動される。この様子を図１０に示した。センサコンバータ基板８７が玉量センサ８３の信号を接点信号に変換する。また島Ａに設けられたメイン基板ＭＢが島Ａ、Ｂ間の制御を行ない、島Ｂに設けられたメイン基板ＭＢが島Ｂ、Ｃ間の制御を行なう。島Ｂの玉量センサ８３の電圧信号は、一方の電圧信号は本図において上のセンサコンバータ基板８７で接点信号に変換されメイン基板ＭＢ（Ａ−Ｂへ、他方の電圧信号は本図において下のセンサコンバータ基板８７で接点信号に変換されメイン基板ＭＢ（Ｂ−Ｃ）へ行く。玉量センサ異常検出基板８５、センサコンバータ基板８７は、貯留タンク外壁Ｕに設けられている。
【００４５】
これについて、図８、図９（ａ）を用いて説明する。図８は、玉量センサ異常検出基板８５の概要を示す回路図である。玉量センサはＣＨ１に接続され、玉の有無を検出し、High、Lowの電気信号をセンサコンバータ８７に出力する。つまり玉ありはLow信号、玉なしはHigh信号を出力する。なお正常な状態であればHigh、Low信号に関わらず通電状態であり、これにより、フォトカプラＰＣ１がＯＮし、トランジスタＴＲ１がＯＮし、その結果、（１）以降には電流は流れない。異常（玉量センサの破損による断線等）時には、フォトカプラＰＣ１がＯＦＦすることにより、トランジスタＴＲ１がＯＦＦし、その結果、（１）以降に電流が流れる。スイッチＳＷ１は通常、閉の状態で用いられ、複数のセンサの内の１つでも異常があれば、論理素子Ｕ７Ａを介して、（２）に電流が流れる。これによりトランジスタＴＲ１１がＯＮし、ＬＥＤが点灯して断線を報知すると共に、リレーＲＬ１により、付属装置（例えばランプ）を駆動させることができる。
【００４６】
また、トランジスタＴＲ１２がＯＮし、ＬＥＤ２が点灯して断線を報知すると共に、フォトカプラＰＣ１１がＯＮし、コンピュータなどに信号を送ることができる。なお、複数のセンサの内、異常のあるセンサがどれかを調べるには、スイッチＳＷ１を１つずつ開閉して、ＬＥＤを確認すれば良い。センサ１〜５は玉量センサ８３から適切なものを選択して用いる。
【００４７】
センサのショート側の異常を検出したい場合には、図８のａａ’に図９（ａ）のフォトカプラＰＣ２を並列につなげば良い。センサにショート側の異常が発生すると、ａａ’間の電位差が限りなく０Ｖに近づき、この結果ａａ’間には電流が流れず、フォトカプラＰＣ２がＯＦＦする。よって前述と同様に異常の検出が行なえる。なお、センサの正常異常に関わらず、電流のHigh（ショート時含む）、Low（断線時含む）により、シャッターは制御される。
【００４８】
各島に設けられる還元機電源ユニット９１（図５参照）にはアース集中基板が用いられている。図９（ｂ）に還元機電源ユニット９１の概要を示す。還元機電源ユニット９１は、ブレーカ９５、リレー９７、マグネットリレー９９、押しボタン１０１、ヒューズ１０３、端子台１０７、トランス１０９等と共にアース集中基板９３を備えている。なお、符号１１１は常用の２００Ｖコンセント、符号１１３は非常用コンセントである。
【００４９】
アース集中基板９３は、図９（ｃ）のようなもので、貯留タンク６１、上部タンク６５、補給樋６７、オーバーフローボックス６９からアース線を引き、アース集中基板９３を介してアースされる。
以上、本発明を適用した実施例について説明してきたが、本発明はこうした実施例に何等限定されるものではなく様々な態様で実施しうる。
【００５０】
例えば、前記実施例では島Ａ、島Ｂ間でのみ玉の交流を行なったが、更に他の島との間で玉交流を行なうように構成しても良い。例えば、図１において島Ａの左側にも島（島Ｘとする）があり、これと島Ａとの間で交流を行なうには、図６の交流タンク３ａにおいて送給口５ａが形成された壁と反対側の壁にも送給口（送給口５ａｘとする）を形成するとよい。そしてこれにシャッター装置（シャッター装置１７ｘとする）を設け、樋７７を流下してきた玉が送給口５ａだけでなく送給口５ａｘからも排出可能にする。シャッター装置１７ｘの開閉制御は、島Ａと島Ｘの貯留タンク６１に関して図７のフローチャートと同様の処理を実行することにより行なえば良い。
【００５１】
また、上部交流樋７ａ、７ｂやアーチ樋１１ａ、１１ｂではなく、２体の樋（供給樋）を連通させることなく２つの島間に交叉状に配置した交流装置に、シャッター装置１７および上記の制御方法を適用しても良い。なお、この場合には、貯留タンクの玉の量が等しいときにもシャッター板２３を閉塞しないようにしてもよい。
【００５２】
また、シャッター装置１７を上部交流樋７ａ、７ｂ以外の玉流路（樋に限らない）に適用しても良い。上部交流樋７ａとは幅の異なる玉流路に対しても、シャッター板２３をその玉流路に適した幅のものに交換することにより、適応することができる。このようにシャッター装置１７は大変汎用性の高いものとなっている。
【図面の簡単な説明】
【図１】  本発明の一実施例である玉交流装置の概念図である。
【図２】  シャッター装置１７の側面図である。
【図３】  シャッター装置１７の正面図である。
【図４】  回路基板２９にて実行されるシャッターの開閉制御を行なう処理のフローチャートである。
【図５】  島Ａの内部の概略を示す断面図である。
【図６】  上部タンク６５と交流タンク３ａの斜視図である。
【図７】  メイン基板ＭＢにて実行されるシャッターの開閉制御を行なうメインプログラムのフローチャートである。
【図８】  玉量センサ異常検出基板８５の概略を示す回路図である。
【図９】  センサのショート側の異常を検出したい場合に、玉量センサ異常検出基板８５に接続されるフォトカプラＰＣ２の回路図、および還元機電源ユニット９１の概略を示す説明図である。
【図１０】  センサコンバータ基板８７および玉量センサ異常検出基板８５の接続状態の概略を示す回路図である。
【符号の説明】
３ａ、３ｂ…交流タンク    ５ａ、５ｂ…送給口
７ａ、７ｂ…上部交流樋    ９…ベース板
９ａ、９ｂ…受給口
１１ａ、１１ｂ…アーチ樋
１３ａ、１３ｂ…交流下部開口
１５…交流上部開口        １７…シャッター装置
１８…接続器              ２１…誘導口
２３…シャッター板        ２５…ボックス
２７…確認センサ          ２９…回路基板
３１…緑色のＬＥＤ        ３３…赤色のＬＥＤ
３７…ブラケット          ４１…ピニオン
４３…ラック              ４５…第１プレート
４７…ボックス    ４９〜５２…リミットスイッチ
５５…第２プレート        ６１…貯留タンク
６３…揚送装置            ６５…上部タンク
６７…補給樋      ６９…オーバーフローボックス
７１…開口                ７３、７７…樋
７５…流出口              ７９…分岐垂直板
８１…オーバーフロー誘導樋      ８２…オーバーフローセンサ
８３…玉量センサ          Ａ、Ｂ…島
Ｍ…モーター              ＭＢ…メイン基板
【図１】
0004670130.tif 000002
【図２】
0004670130.tif 000003
【図３】
0004670130.tif 000004
【図４】
0004670130.tif 000005
【図５】
0004670130.tif 000006
【図６】
0004670130.tif 000007
【図７】
0004670130.tif 000008
【図８】
0004670130.tif 000009
【図９】
0004670130.tif 000010
【図１０】
0004670130.tif 000011